(57)【要約】      （修正有）【課題】グレーチングの加工工程の省略化及び省力化、排水溝の開口部へのグレーチング覆設の簡易化、及び開口部の側方からの流水を越流させることなく排水溝内に誘水排水し、しかも安全通行を可能にした堅牢簡易なグレーチング蓋を提供する。【解決手段】排水溝１００の開口部の矩形受枠１０２に覆設するグレーチング蓋２００において、矩形受枠１０２の長手方向に沿って平行間隔で亘らせる複数本の間隙メインバー２０１を有し、間隙メインバー２０１は中間部を矩形受枠１０２の幅方向に沿って非接触状態で亘らせる複数本のクロスバー２０２で連結支持すると共に両端部をエンドバー２０３の上部で固定連結し、エンドバー２０３は下部を矩形受枠１０２の下方に形成した傾斜面に当接して載置可能な狭幅形状部にし、エンドバー２０３下部の狭幅形状部の下端部に等幅垂下部を形成したことを特徴とする。【選択図】図１
0003219272.tif 000002
【実用新案登録請求の範囲】
【請求項１】
排水溝の開口部の矩形受枠に覆設するグレーチング蓋において、前記矩形受枠の長手方向に沿って平行間隔で亘らせる複数本の間隙メインバーを有し、前記間隙メインバーは中間部を矩形受枠の幅方向に沿って非接触状態で亘らせる複数本のクロスバーで連結支持すると共に両端部をエンドバーの上部で固定連結し、前記エンドバーは下部を矩形受枠の下方に形成した傾斜面に当接して載置可能な狭幅形状部にしたことを特徴とするグレーチング蓋。
【請求項２】
前記エンドバー下部の狭幅形状部の下端部に等幅垂下部を形成したことを特徴とする請求項１に記載のグレーチング蓋。
【考案の詳細な説明】
【技術分野】
【０００１】  本考案は、排水溝用のグレーチング蓋に関する。
【背景技術】
【０００２】  グレーチングの基本的な機能は排水溝への速やかな排水を促すために、水だけが流れ、人、各種類の屑塵、一般物等の侵入や落下を防ぐことにある。
溝にグレーチング蓋をすることにより、人や車両の通過を作業場の安全確保等を容易にすることと言える。そのためグレーチングは“街中及び室内のいたる処に利用されている。
たとえば、道路の脇、歩道と車両の境目、駐車場、ビルや建築物の周囲、公園、競技場、商店街、また建物の中など、少し見回せば目に入らないことはない。
さらに、広い意味での床材としても活躍している。工場や清掃工場、火力発電所などでも広く利用されている。
それほど、身近なグレーチングは安全で快適な住環境、都市空間を創造する為には、欠かすことの出来ないものである。【０００３】  また、ライフスタイルの多様化に伴い、都市に求められる機能も幅広くなり、グレーチングも使われる場所、目的により求められる性能、機能が異なってくる。
一般には、道路の排水路にかける蓋としてよく見かける。その他、工場などの操作歩道など広範囲に使用される。道路に使われるグレーチングは表面排水を目的とし、工場の操作歩道に使われるグレーチングは鉄板などと比べて、軽量化及び工作の簡略化、また風の強い所ではグレーチングの風を通りやすい性質を利用して、風の荷重を緩和する事などを目的にする。【０００４】  近年車椅子やシルバーカー、ベビーカーそしてハイヒールを履いた人が歩道などをよく通るようになってから、歩道や広場などに設置したグレーチング主部材の隙間に車椅子・シルバーカー・ベビーカーの車輪がはまり込んで危険、ハイヒールの踵が挟まり折れる苦情が多くなったことから、格子を細かくしたり、格子の形状を変えたり、デザイン的な要素を高めるなどの対策品も販売されるようになっている。また工場等で、グレーチングでは下が丸見えのため、来客者が通る通路はチェッカープレート（縞板）が使われたりしているが、グレーチングの空隙部分にカラフルな自然石やゴムチップ等の透水舗装材を充填し、有視開口部が無いにも関わらず従来の排水機能を保持することで、水以外の異物の通過を阻止できる製品も見かけるようになってきた。【０００５】  そこで排水溝用のグレーチング蓋として公知のものとして特許文献１の考案を紹介する。
特許文献１の考案は、図５の（１）〜（３）に示すように、「排水溝３の開口部４にグレーチング１を覆設した排水溝構造において、排水溝３の開口部６を下方に向けて傾斜状に狭幅５させるとともに、グレーチング１の支持ベアリングバー７の端部を下方に向けて傾斜状に狭幅させ、排水溝３の開口部４にグレーチング１の支持ベアリングバー７の端部が当接して支持され、グレーチング１は、排水溝３の開口部４との間に間隙１２を形成するように端部を下方に向けて傾斜状に狭幅させた間隙ベアリングバー８を有し、更に前記間隙ベアリングバー８は、排水溝３の開口部４にグレーチング１を覆設した状態で端部上端面が開口部４の上端面よりも上方に位置するように形成した構造とすることを特徴とする排水溝構造」である。図中９は開口部４の長さ方向に延在して支持ベアリングバー７と間隙ベアリングバー８とを連結するクロスバー、１０は支持ベアリングバー７の支持面、１１は間隙ベアリングバー８のガイド面を示す。
【先行技術文献】
【特許文献】
【０００６】
【特許文献１】特許第６０２８１７０号公報「排水溝構造及び同排水溝構造で用いられるグレーチング並びに排水溝」
【考案の概要】
【考案が解決しようとする課題】
【０００７】  しかしながらこの考案は次の難点があり実用性に欠ける。
１）、支持ベアリングバー及び間隙ベアリングバーの全てについてその両端部を前記開        口部の傾斜状に沿った傾斜状に狭幅形成するためグレーチング加工製作に難題が        ある。
２）、支持ベアリングバー及び間隙ベアリングバーの全てが開口部の幅方向に配列して        いるため開口部の側方からの流水が越流し易く排水機能に難点がある。
３）、間隙ベアリングバーは、端部上端面が開口部の上端面よりも上方に位置させるた        め通行上つまずかないように注意する必要がある。【０００８】  本考案はグレーチングの加工工程の省略化及び省力化、排水溝の開口部へのグレーチング覆設の簡易化、及び開口部の側方からの流水を越流させることなく排水溝内に誘水排水し、しかも安全通行を可能にした堅牢簡易なグレーチング蓋を提供する。
【課題を解決するための手段】
【０００９】  本考案は、前記課題を全て解決する優れたグレーチング蓋でありその技術的特徴は次の（１）〜（２）の通りである。
（１）、排水溝の開口部の矩形受枠に覆設するグレーチング蓋において、前記矩形受枠の長手方向に沿って平行間隔で亘らせる複数本の間隙メインバーを有し、前記間隙メインバーは中間部を矩形受枠の幅方向に沿って非接触状態で亘らせる複数本のクロスバーで連結支持すると共に両端部をエンドバーの上部で固定連結し、前記エンドバーは下部を矩形受枠の下方に形成した傾斜面に当接して載置可能な狭幅形状部にしたことを特徴とするグレーチング蓋。【００１０】  （２）、前記エンドバー下部の狭幅形状部の下端部に等幅垂下部を形成したことを特徴とする前記（１）に記載のグレーチング蓋。
【考案の効果】
【００１１】＜本考案の構成の主な特徴と作用効果の要約＞
１）、間隙メインバーの全てを開口部の長手方向に沿って配置しその両端部を傾斜状に        形成することなくエンドバーに直接連結固定するためグレーチング加工製作が極        めて簡単であり、大幅な加工工程の省略化と省力化を可能にした。
２）、間隙メインバーの全てが開口部の長手方向に配列しているため開口部の幅方向側        方からの流水を越流させることなく下方の排水溝本体側に確実に誘水するなど所        期の排水機能を十分に発揮する。
３）、間隙メインバーは、開口部の上端面よりも上方に位置することが無いため通行中        につまずくこともない。またグレーチング蓋の上に偏り荷重がかかってグレーチ        ング蓋が斜めに浮き上ることを防止して安全通行を確保する。
【図面の簡単な説明】
【００１２】
【図１】本考案のグレーチング蓋の実施例を示す平面図である。
【図２】図１の矢視Ａ−Ａからの断面説明図である。
【図３】図２の矢視Ｂ−Ｂからの断面説明図である。
【図４】図３の一部変形例を示す断面説明図である。
【図５】前記従来例である特許文献１に記載のグレーチングを示す斜視図（１）と、同平面図（２）と、同正面部分拡大図（３）である。
【考案を実施するための形態】
【００１３】  考案を実施するための形態を次に記載の実施例により詳細に説明する。
【実施例１】
【００１４】  本考案の実施例の基本的な構成を図１〜図４に示す。【００１５】  図１〜図３において、排水溝１００は、上部に矩形の開口部１０１を形成する金属製の矩形受枠１０２を装着し、矩形受枠１０２の下方に傾斜面１０３を介して溝本体１０４を形成してある。【００１６】  本例において、排水溝１００の開口部１０１の矩形受枠１０２に覆設するグレーチング蓋２００は、排水流入用の主間隙を形成する間隙メインバー２０１と、間隙メインバー２０１の所定間隙形成を支持するクロスバー２０２と、間隙メインバー２０１の両端部各々を固定支持するエンドバー２０３とからなる。【００１７】  間隙メインバー２０１は、前記矩形受枠１０２の長手方向に沿って平行間隔で複数本配置する。これで間隙メインバーの全てが開口部の長手方向に配列しているため前記矩形受枠１０２の幅方向の側方からの流水を越流させることなく下方の排水溝本体側に確実に誘水して排水する。【００１８】  クロスバー２０２は、矩形受枠１０２に対してその幅方向に沿って非接触状態で位置して全ての前記間隙メインバー２０１の中間部の数か所を連結支持固定する。【００１９】  エンドバー２０３は、両側一対設けその各上部２０３ｕで前記間隙メインバー２０１の両端部を固定連結すると共に、矩形受枠１０２の両側枠１０２ｅ内に係合状態で嵌め、下部にテーパー台２０３ｄを形成して、これを前記矩形受枠１０２の下方に形成した傾斜面１０３に当接させてグレーチング蓋２００の安定載置を可能にする。【００２０】  図４において、前記エンドバー２０３の下部のテーパー台２０３ｄの下端部を等幅に延長して垂下させた垂下部２０３ｓを形成して、垂下部２０３ｓを排水溝の垂直側壁面に直角に対面させることによりグレーチング蓋２００の上に偏り荷重がかかってグレーチング蓋２００が斜めに浮き上がろうとしても垂下部２０３ｓが排水溝の垂直側壁面に当接してグレーチング蓋２００の飛び上がりを防止する。
【産業上の利用可能性】
【００２１】  本考案の、排水溝用のグレーチング蓋は前述した優れた作用効果を呈するためグレーチング製造及び活用産業に寄与すること多大なものがある。
【符号の説明】
【００２２】  １００：排水溝
１０１：開口部
１０２：矩形受枠
１０２ｅ：両側枠
１０３：傾斜面
１０４：溝本体
２００：グレーチング蓋
２０１：間隙メインバー
２０２：クロスバー
２０３：エンドバー
２０３ｕ：上部
２０３ｄ：テーパー台
２０３ｓ：垂下部
【図１】
0003219272.tif 000003
【図２】
0003219272.tif 000004
【図３】
0003219272.tif 000005
【図４】
0003219272.tif 000006
【図５】
0003219272.tif 000007